(57)【特許請求の範囲】
【請求項１】
訓練者が実際に手に持って消火用水を放出できる訓練用消火器と、模擬火災が発生したことを表示する模擬火点装置とを備えた消火訓練設備であって、
前記訓練用消火器は、上部に開口部を有し、該開口部とは別に圧縮空気を通すエアホースと水を通す水ホースとをそれぞれ交代でワンタッチで連結可能なカプラーが取付けられた連結口を備えた容器からなる消火器本体と、
前記開口部に取付けられて、前記消火器本体の内側に開口する導水部、該導水部に連通し外部に開口する放水部、該放水部にフレキシブルホースを介して接続されるノズル部、前記導水部を開閉可能な弁部及び該弁部の上側に突出する操作ロッドを有するバルブ機構と、
前記バルブ機構の導水部に上端部が連通し、下端部は前記消火器本体の内側下部位置に開口される吸水管と、
前記吸水管の上端部内側に噴出口を有し、基端は前記消火器本体の内側上部位置に開口される通気管とを有し、
前記吸水管の上端部と前記通気管の噴出口でエジェクターを形成していることを特徴とする消火訓練設備。
【請求項２】
請求項１記載の消火訓練設備において、前記吸水管は直管からなって、前記通気管は前記直管の内部を挿通して該直管の下端から折れ曲がり、前記直管の外側に沿って配置されるＵ字形管からなることを特徴とする消火訓練設備。
【請求項３】
請求項１又は２記載の消火訓練設備において、前記バルブ機構は、前記開口部の外側に形成された雄ねじに螺合する雌ねじを備えたキャップによって密封状態で、前記消火器本体に取付けられていることを特徴とする消火訓練設備。
【請求項４】
請求項１〜３のいずれか１項に記載の消火訓練設備において、
前記模擬火点装置は、架台と、該架台に取付けられた模擬火点となるランプと、前記ノズル部から混合状態の圧縮空気と前記消火用水が放出された際に該圧縮空気の風圧及び該消火用水の注水を受けて揺動する振り子及び該振り子の揺動を検出する近接スイッチが設けられた複数の風圧センサーとを有し、更に、前記風圧センサーの出力を入力し、前記ランプの制御を行う制御器を有することを特徴とする消火訓練設備。
【請求項５】
請求項４記載の消火訓練設備において、前記模擬火点装置には、前記制御器によって制御されるサイレンを有することを特徴とする消火訓練設備。
【請求項６】
請求項４又は５記載の消火訓練設備において、前記ランプは、周囲が透明防水シートによって覆われていることを特徴とする消火訓練設備。
【請求項７】
請求項４〜６のいずれか１項に記載の消火訓練設備において、前記模擬火点装置は、表示ランプ及び警報ブザーを有するガス元栓モニターを有することを特徴とする消火訓練設備。
【発明の詳細な説明】
【０００１】
【発明の属する技術分野】
本発明は、家庭や事業所等に設置されている消火器の実践的取扱いの訓練効果を向上させるための消火訓練設備に関し、特に実際に消火器を使用して消火の体験と消火器の取扱方法の習得を行う消火訓練設備に関する。
【０００２】
【従来の技術】
従来、消火器を取り扱う消火訓練では、広場等で訓練専用の燃焼皿に灯油を入れて点火し、消火薬剤が充填されている消火器を用いて火点に向かって消火薬剤を放射させ、消火の体験と消火器の取扱方法の習得を行っていた。しかし、消火動作の都度に消火薬剤が消費されるので費用が多くかかり、そのうえ、実施できる人数が制限されると共に、放射された消火薬剤が火点の周囲に散乱し、環境を汚染するため、建物の密集している地域では実施が難しかった。
これを改善する方法として、例えば特開平１０−１１１６４０号公報に開示されているように、架台に赤色回転灯を点滅させて模擬火点とし、消火用水と圧縮空気を充填した訓練用消火器を使用して、模擬火点に向かって訓練用消火器から消火用水を放射させて、模擬火点に向かって放射された水が一定量に達したとき、消火されたものとする消火訓練方法がある。
【０００３】
【発明が解決しようとする課題】
しかしながら、上記従来の方法では、訓練用消火器の中に消火用水と圧縮空気がそれぞれ一定量だけ充填されているため、訓練用消火器の中に充填される消火用水の量は消火器本体の容積の５０〜６０％程度であり、訓練用消火器のバルブ機構の弁部を開いて消火用水を放射すると、消火用水が散逸しない棒状に放出されるので１０〜１５秒程度で放出してしまい、１回の消火用水と圧縮空気の充填で１〜２人程度の訓練者しか訓練できない。また、バルブ機構から消火用水が棒状に放出されると、水道水を細いホースで放水している感じになって、粉末消火器によって放射している感じが全くないので訓練効果が期待できない。
【０００４】
また、次の訓練者が消火動作をするとき、その都度次の訓練者のために、訓練用消火器からスパナ等によってバルブ機構を外して消火用水を消火器本体に所定量（例えば３リットル）充填したあと、バルブ機構を消火器本体に取付け、更に圧縮空気を空気充填口から充填して消火用水と圧縮空気を補充すると言う充填作業をしなければならない。消火用水と圧縮空気を充填するためには５分くらいかかり、連続して訓練用消火器を使用した消火訓練をするときに次の訓練者の待ち時間が長く、しかも、例えば３０分の消火訓練時間の中で１本の訓練用消火器で３〜４人程度しか訓練できないという問題があった。
また、訓練者の人数を増やすために、多数の訓練用消火器を準備すると、多くの費用と保管場所が必要となり、また圧縮空気を訓練用消火器の中に入れたまま保管しておくと、バルブ機構の取付け部分等から空気が漏れて消火器本体内の圧縮空気の圧力が低下し、直ちに使用できないという問題があった。
本発明はこのような事情に鑑みてなされたもので、粉末消火器で粉末の消火剤を放出するときの感じを持たせ、短時間に連続して多数の訓練者を訓練できる消火訓練設備を提供することを目的とする。
【０００５】
【課題を解決するための手段】
前記目的に沿う本発明に係る消火訓練設備は、訓練者が実際に手に持って消火用水を放出できる訓練用消火器と、模擬火災が発生したことを表示する模擬火点装置とを備えた消火訓練設備であって、訓練用消火器は、上部に開口部を有し、開口部とは別に圧縮空気を通すエアホースと水を通す水ホースとをそれぞれ交代でワンタッチで連結可能なカプラーが取付けられた連結口を備えた容器からなる消火器本体と、開口部に取付けられて、消火器本体の内側に開口する導水部、導水部に連通し外部に開口する放水部、放水部にフレキシブルホースを介して接続されるノズル部、導水部を開閉可能な弁部及び弁部の上側に突出する操作ロッドを有するバルブ機構と、バルブ機構の導水部に上端部が連通し、下端部は消火器本体の内側下部位置に開口される吸水管と、吸水管の上端部内側に噴出口を有し、基端は消火器本体の内側上部位置に開口される通気管とを有し、吸水管の上端部と通気管の噴出口でエジェクターを形成している。
【０００６】
これにより、消火器本体の開口部にバルブ機構を取付けたまま、連結口から消火用水を消火器本体が満杯になるまで充填し、次に連結口に圧縮空気を供給するエアホースを連結して圧縮空気を消火器本体内に供給することにより、放水の準備ができる。そして、バルブ機構の操作ロッドにより弁部を操作して導水部を開放することにより、吸水管の上端部が減圧されて吸水管の上端部と通気管の噴出口にエジェクターが形成され、消火用水は圧縮空気と共に導水部、放水部及びフレキシブルホースを通り、ノズル部から放出される。エアホースは消火器本体に取付けられたままであるので、消火器本体に満杯に充填された消火用水は完全に無くなるまで放出することができる。なお、消火用水の充填量は、従来の訓練用消火器に比べて２倍近くにすることができ、更に噴霧状に放水することにより、単位時間当たりの放水量を従来の１／２程度に出来るので、１本の訓練用消火器で訓練可能な人数は、従来にくらべて４倍程度（１２〜２０人程度）となる。
【０００７】
また、消火用水は圧縮空気と共にノズル部から水と空気の混合となって圧縮空気が膨張音を発しながら噴霧状態で放出されるので、粉末消火器で放射したときによく似た放射状態となり、粉末消火器を操作した感触が得られる。
また、消火用水と圧縮空気を充填する連結口が消火器本体の開口部とは別に設けられているので、消火用水を再充填するときに、バルブ機構を取り外す必要がなく、連結口に、例えばワンタッチで水ホースとエアホースとを連結可能なカプラーを取付けておくことにより、短時間に、しかも簡単に消火用水と圧縮空気を充填することができ、連続して多数の訓練者を訓練することが可能である。
【０００８】
本発明に係る消火訓練設備において、吸水管は直管からなって、通気管は直管の内部を挿通して直管の下端から折れ曲がり、直管の外側に沿って配置されるＵ字形管からなるようにしてもよい。
この場合、通気管はＵ字形管で形成され、直管である吸水管の下端から通気管の一方端を挿入させて吸水管に固定するだけで、通気管の一方端が吸水管の上端部とエジェクターを簡単に形成することができる。また、訓練用消火器の持ち方によって訓練用消火器の姿勢が変わっても、安定して消火用水と圧縮空気をエジェクターの部分に供給することができ、例えば、バルブ機構が真下になる、すなわち逆様になった状態にしても、逆に吸水管に圧縮空気が入り、通気管に消火用水が入って、導水部付近に圧縮空気によって消火用水が吸い出されるエジェクターを形成して、導水部から圧縮空気と消火用水を放水部に供給することができる。
本発明に係る消火訓練設備において、バルブ機構は、開口部の外側に形成された雄ねじに螺合する雌ねじを備えたキャップによって密封状態で、消火器本体に取付けられていてもよい。
この場合、バルブ機構と開口部の間は完全に密封状態にすることができるので、水漏れや空気漏れがなくなり、周囲を汚すことがない。
【０００９】
本発明に係る消火訓練設備において、模擬火点装置は、架台と、架台に取付けられた模擬火点となるランプと、ノズル部から混合状態の圧縮空気と消火用水が放出された際に圧縮空気の風圧及び消火用水の注水を受けて揺動する振り子及び振り子の揺動を検出する近接スイッチが設けられた複数の風圧センサーとを有し、更に、風圧センサーの出力を入力し、ランプの制御を行う制御器を有してもよい。
この場合、模擬火点装置のランプを赤色のランプとして制御器によって点滅させて模擬火点の発火を知らせることができる。また、訓練用消火器から消火用水をランプに向かって放水することによって、ランプの近くに設けられた風圧センサーが放水された消火用水及び風圧を受けて検出信号を発生し、制御器が風圧センサーの検出信号を受けてランプを消灯させ、模擬火点が鎮火したものとすることができる。また、制御器に例えばプログラマブルシーケンサーを用いることによって、例えば模擬火点が鎮火後、再度ランプを点滅させ、再発火する状態を表示するなど、想定される火災状況を変えて消火訓練することも可能である。
なお、風圧センサーは、ノズル部から噴出する消火用水の注水を受けて作動するセンサー（受水センサー）であってもよい。
【００１０】
本発明に係る消火訓練設備において、模擬火点装置には、制御器によって制御されるサイレンを有してもよい。
この場合、模擬火点の発火からサイレンを吹鳴し、訓練火災の臨場感を出して訓練することができ、鎮火と共にサイレンの吹鳴を止めることにより、訓練者に鎮火を知らせることができる。
本発明に係る消火訓練設備において、ランプは、周囲が透明防水シートによって覆われていてもよい。
この場合、消火用水が模擬火点を表示するランプに向かって放水されても、直接ランプに消火用水が掛かって濡れたり漏電するようなことはなく、安全な状態を維持することができる。
本発明に係る消火訓練設備において、模擬火点装置は、表示ランプ及び警報ブザーを有するガス元栓モニターを有してもよい。
この場合、てんぷら火災を想定して消火訓練を行い、模擬火点の発火と共に表示ランプと警報ブザーでガスの元栓の存在を知らせ、鎮火後にガスの元栓が締まっていないのを知らせて、ガスの元栓を締めて消火操作が完了するように手順を決めて、てんぷら火災に対する訓練内容を充実させることができる。
【００１１】
【発明の実施の形態】
続いて、添付した図面を参照しつつ、本発明を具体化した実施の形態につき説明し、本発明の理解に供する。
ここに、図１は本発明の一実施の形態に係る消火訓練設備の構成図、図２は同消火訓練設備に用いる訓練用消火器の側断面図、図３は同消火訓練設備に用いる訓練用消火器及び付属機器の構成図、図４は同消火訓練設備に用いる模擬火点装置の構成図、図５は同消火訓練設備に用いる模擬火点装置に設けた風圧センサーの側断面図、図６は同消火訓練設備に用いる模擬火点装置に設けたガス元栓モニターの側断面図である。
【００１２】
図１に示すように、本発明の一実施の形態に係る消火訓練設備１０は、訓練者Ｍが実際に手に持って消火用水Ｗを放出できる訓練用消火器１１と、訓練用消火器１１とは別に模擬火災が発生したことを表示する模擬火点装置１２とを備えている。
訓練用消火器１１は、図２に示すように、上部に開口部１３を有し、消火用水Ｗを充填可能な容器からなる消火器本体１４が設けられ、その開口部１３の内側にはバルブ機構１５が取付けられ、開口部１３の外側に形成された雄ねじに螺合する雌ねじを備えたキャップ１６によって開口部１３とバルブ機構１５との間が密封状態にされている。バルブ機構１５は、消火器本体１４の内側に開口する導水部１７及び導水部１７に連通し外部に開口する放水部１８を有するバルブ機構本体１９と、放水部１８にフレキシブルホース２０を介して接続されるノズル部２１とを備えている。
【００１３】
また、バルブ機構１５は、導水部１７を開閉可能な弁部２２及び弁部２２の上側にバルブ機構本体１９から突出する操作ロッド２３と、操作ロッド２３の上端部に設けたストップリング２４とバルブ機構本体１９との間に設けた圧縮ばね２５と、圧縮ばね２５に抗して操作ロッド２３を介して弁部２２を下方に押し付けて導水部１７を開放する梃子機構からなるハンドル２６とを設けている。なお、ハンドル２６は、常時は安全栓２６Ａによってロックされ、消火時に安全栓２６Ａを抜いて操作できるようにしている。
消火器本体１４の内側には、バルブ機構１５の導水部１７に上端部が連通し、下端部は消火器本体１４の内側下部位置に開口された直管からなる吸水管２７が設けられている。吸水管２７の上端部内側には、先端に噴出口２８を有し、基端は吸水管２７の上端部外側で消火器本体１４の内側上部位置に開口する吸入口２９を有する通気管３０が設けられている。そして通気管３０は、吸水管２７の内部を挿通して下端から折れ曲がり、外側に沿って配置され、２個の取付けバンド３０Ａによって吸水管２７に固定されたＵ字形管からなり、吸水管２７の上端部と通気管３０の噴出口２８とで、圧縮空気により消火用水Ｗを導水部１７に向かって噴出させるエジェクターを形成している。
【００１４】
また、消火器本体１４には、開口部１３とは別に、圧縮空気や水を消火器本体１４内部に充填可能な連結口３１を備え、連結口３１には圧縮空気や窒素ガス等の気体を通すエアホース３２と水を通す水ホース３３（図３参照）とをそれぞれ交代でワンタッチで連結可能なカプラー３４を取付けている。
図３に示すように、消火訓練設備１０には、２本のエアホース３２にそれぞれ接続された空気圧縮機３５を備え、それぞれのエアホース３２には空気圧縮機３５に連結する端部にエアコック３６を設け、更にエアホース３２の中間部に圧縮空気を充填しておく補助タンク３７を連結させている。また、連結口３１に連結される水ホース３３の先端には水コック３８を設けて、連結口３１に水ホース３３を連通させた状態で連結口３１の近くで水コック３８を開閉できるようにしている。すなわち、一般の水道３９から水ホース３３を介して消火器本体１４に水を充填したあと、水コック３８を閉じて水の供給を止めて、直ちに水ホース３３をカプラー３４から外し、エアホース３２をカプラー３４に連結できるようにしている。
【００１５】
図４に示すように、模擬火点装置１２は、下部にキャスター４０を設け、周囲を壁板で密閉可能にした箱状の架台４１を備え、架台４１の上部には模擬火点として周囲全体を照らして点滅する赤色ランプからなる第１のランプ４２と、前方（図４の手前側）を照らす赤色ランプからなる第２のランプ４３と、架台４１に固定されて、架台４１の上方に支柱と横桁を備えて、その中に箱状の空間部を形成する枠体４４と、枠体４４に取付けられて上方を照らす赤色ランプからなる第３のランプ４５と、架台４１内に配置されたサイレン４６とを設けている。枠体４４及び架台４１の前側で、かつ第１、第２及び第３のランプ４２、４３、４５の近傍には前面に平坦部を有する鋼板等の磁性体からなる複数のセンサー取付け部４７を設けている。また、枠体４４及び架台４１はビニールシート等からなる透明防水シート４８によって覆われ、第１、第２及び第３のランプ４２、４３、４５がノズル部２１から放出された消火用水Ｗによって濡れるのを防いでいる。各センサー取付け部４７には透明防水シート４８を挟んでそれぞれ第１、第２及び第３のランプ４２、４３、４５に対応して、それらの近傍に消火用水Ｗが注水される状況を感知する風圧センサー４９（第１、第２及び第３の風圧センサー４９Ａ、４９Ｂ、４９Ｃ）が着脱自在に取付けられ、訓練用消火器１１のノズル部２１から噴出される消火用水Ｗによって作動するようにしている。
【００１６】
図５に示すように、各風圧センサー４９は、ベース部５０の側面に取付け用磁石５１が設けられ、架台４１及び枠体４４に設けられたセンサー取付け部４７に磁気吸引力によって着脱自在に取付けられている。ベース部５０の上部には逆Ｕ字状の枠部５２が設けられ、枠部５２には振り子５３がその上部で支持ピン５４によって揺動自在に支持され、ストッパー５０Ａで揺動範囲が制限されるようにしている。また、ベース部５０には周囲が防水材５０Ｂで密封されて防滴構造とした近接スイッチ５５が設けられ、振り子５３に圧縮空気と共に噴出する消火用水Ｗが注水されて、注水と風圧を受けて揺動したことを検出して、検出信号を出力するようにしている。架台４１の内側には、風圧センサー４９の検出信号を入力とし、その検出信号に応じて第１、第２、第３のランプ４２、４３、４５及びサイレン４６の動作を制御する制御器５６を収納している。なお、制御器５６は架台４１の内側ではなく、別に消火作業に邪魔にならない場所に設置しておいてもよい。
【００１７】
制御器５６は（図４参照、但しこの場合、制御器５６を架台４１から外に引き出した状態を示している）、商用電源に接続される電源コード５７と、第１、第２、第３のランプ４２、４３、４５、サイレン４６及びガス元栓モニター６６にそれぞれコネクター５８Ａを介して電力を供給する電力線５８と、模擬火点となる第１、第２、第３のランプ４２、４３、４５及びサイレン４６を動作させるリモートスイッチ５９と、複数の風圧センサー４９の検出信号をコネクター６０Ａを介して制御器５６に入力する信号線６０とが接続されている。
また、枠体４４には、図６に示すような、ガス元栓モニター６６を取付けている。ガス元栓モニター６６には、モニター用ガス栓６１と、それを開閉するガス栓ハンドル６２と、ガス栓ハンドル６２にレバー６２Ａを介して連動してモニター用ガス栓６１の開閉状態を示す信号を出力するマイクロスイッチ６３と、モニター用ガス栓６１が開いていることを表示する表示ランプ６４及び警報ブザー６５とを設けている。
【００１８】
ここで、本発明の一実施の形態に係る消火訓練設備１０を用いた消火訓練方法について説明する。
（１）先ず、訓練用消火器１１のカプラー３４に水道３９に接続した水ホース３３を連結して、消火器本体１４に消火用水Ｗを充填する。このとき、ハンドル２６を押し付けて弁部２２を圧縮ばね２５に抗して押し付けて導水部１７を開き、消火用水Ｗがフレキシブルホース２０から出てくるまで充填し、消火器本体１４に消火用水Ｗを満杯にする。なお必要に応じて、２本の訓練用消火器１１に消火用水Ｗを充填しておく。
（２）次に、カプラー３４から水ホース３３を外し、カプラー３４にエアホース３２を連結し、空気圧縮機３５を駆動して消火器本体１４に圧縮空気を供給し、訓練用消火器１１の準備を完了する。なお、必要に応じて２本の訓練用消火器１１にそれぞれエアホース３２を連結しておく。このとき、吸水管２７の内側上端部の圧力と吸水管２７の外側の圧力とは等しい状態となっている。
（３）リモートスイッチ５９によって第１、第２、第３のランプ４２、４３、４５を点滅させ、サイレン４６を吹鳴させ、ガス元栓モニター６６の表示ランプ６４を点灯し、警報ブザー６５を鳴らして消火訓練設備１０の模擬火点装置１２に訓練火災が発生したことを訓練者Ｍに知らせる。
【００１９】
（４）訓練者Ｍは、安全栓２６Ａを抜き、訓練用消火器１１を一方の手で持って模擬火点装置１２に所定距離まで近づき、フレキシブルホース２０を他方の手で持ち、ノズル部２１を模擬火点装置１２に向けて、一方の手でハンドル２６を押して放水する。
このとき、消火器本体１４内は圧縮空気によって圧力が高められているが、ハンドル２６を押すことにより、弁部２２が押し下げられて導水部１７が開き、導水部１７付近、すなわち吸水管２７の内側上端部の圧力が吸水管２７の外側の圧力より低下する。そのため、吸水管２７の内側上端部と通気管３０の噴出口２８でエジェクターが形成されて、吸水管２７内の消火用水Ｗが通気管３０を通ってきた圧縮空気によって吸い出され、消火用水Ｗと圧縮空気とが混合した状態で導水部１７、放水部１８を通り、フレキシブルホース２０の先端のノズル部２１から大気に放出される。ノズル部２１から消火用水Ｗが放出されるとき、圧縮空気が膨張音を発して水噴霧状態となる。
【００２０】
（５）ノズル部２１から放出された消火用水Ｗが模擬火点装置１２に注水される状態になると、架台４１及び枠体４４の前面に取付けられた風圧センサー４９にも消火用水Ｗが注水され、その結果、注水と圧縮空気の風圧によって風圧センサー４９の振り子５３が揺動して、消火用水Ｗが注水されたことを検出して検出信号を出力する。風圧センサー４９（第１、第２及び第３の風圧センサー４９Ａ、４９Ｂ、４９Ｃ）のいずれかが、それぞれ対応する近傍の模擬火点（第１、第２、第３のランプ４２、４３、４５）のいずれかに消火用水Ｗが注水されたことを感知し、制御器５６が風圧センサー４９の検出信号を受けて、感知した風圧センサー４９の近傍の模擬火点（第１、第２、第３のランプ４２、４３、４５）のいずれかを消灯する。そして、例えば２秒後に再点滅させて模擬火点が再発火した状態を表示する。それで、再度、訓練者Ｍがノズル部２１から消火用水Ｗを模擬火点に向けて放出し、風圧センサー４９に消火用水Ｗを当てると、制御器５６が風圧センサー４９の検出信号を受けて、感知した風圧センサー４９の近傍の模擬火点を消灯する。このようにして、制御器５６が消火用水Ｗを感知した付近の模擬火点のランプを順次消灯させ、全ての模擬火点（第１、第２、第３のランプ４２、４３、４５）が消灯したとき、模擬火点が完全に鎮火したものとし、制御器５６がサイレン４６の吹鳴を停止する。
【００２１】
（６）１本の訓練用消火器１１内の消火用水Ｗを全部放水し終わっても、模擬火点が鎮火の状態にならない場合は、エアホース３２が連結されている２本目の訓練用消火器１１を持ち出して消火活動を行う。
（７）模擬火点が鎮火したことを訓練者Ｍが確認して訓練用消火器１１の放水を止める。このとき、まだ、ガス元栓モニター６６は表示ランプ６４が点灯し、警報ブザー６５が鳴っている。
（８）訓練者Ｍは、模擬火点は鎮火したが、ガス元栓が閉じられていないことを表示ランプ６４と警報ブザー６５によって知り、ガス栓ハンドル６２を操作してモニター用ガス栓６１を閉じ、表示ランプ６４と警報ブザー６５の動作を停止させ、モニター用ガス栓６１が閉じられたことを確認し、一人の訓練者Ｍの消火訓練を完了する。
（９）ここで、訓練用消火器１１内の消火用水Ｗの充填量を測り、１回の消火訓練に必要な水量が残っていれば、上記（３）の動作から、次の訓練者Ｍの消火訓練を始める。もし、１回の消火訓練に必要な水量が残っていなければ、カプラー３４からエアホース３２を外し、上記（１）の動作から繰り返して行う。
【００２２】
このように、消火器本体１４の開口部１３にバルブ機構１５を取付けたまま、連結口３１から消火用水Ｗを充填することができるので、短時間で放水の準備を完了することができる。なお、６リットルの消火用水Ｗを充填できる訓練用消火器１１に満杯にする時間は１分３０秒程度であり、従来の１／３以下の時間で充填できることがわかった。
また、エアホース３２は消火器本体１４に取付けられたままで消火訓練活動を行うので、消火器本体１４に満杯に充填された消火用水Ｗが完全に無くなるまで放出することができ、消火用水Ｗの充填量は、従来の訓練用消火器に比べて２倍近くになる。また、フレキシブルホース２０のノズル部２１からは、噴霧状態で放水されるので、単位時間当たりの放水量は、従来の棒状に放水する場合に比べて１／２程度になり、その結果、従来の訓練用消火器に比べて放水時間は４倍程度になり、１本の訓練用消火器１１で１２〜２０人程度の消火訓練を連続して行う、効率のよい消火訓練が可能となる。
また、消火用水Ｗは圧縮空気が膨張音を発しながら噴霧状態で放出されるので、粉末消火器を放射したときによく似た状態となり、粉末消火器の操作を実感できる。
【００２３】
なお、訓練用消火器１１に消火用水Ｗを充填したあと、連結口３１にエアホース３２を連結し、圧縮空気を訓練用消火器１１に充填し、エアコック３６を閉じた状態、すなわち訓練用消火器１１内に充填された圧縮空気のみで消火活動を行うと、粉末消火器と実質的に同じ放射時間（１２〜１５秒程度）だけ放水することができ、粉末消火器を使用したときと同じ感覚で消火訓練を行うことができる。
また、訓練用消火器１１の中に消火用水Ｗを充填しないで、圧縮空気だけを充填して消火訓練を行うことができる。このときは、圧縮空気がノズル部２１から噴射されて、圧縮空気の風圧によって風圧センサー４９を動作させるので、水で汚れることはなく、防水処置をしていない室内でも消火訓練を行うことができる。
更に、エアホース３２に補助タンク３７を連結して圧縮空気を充填しているので、空気圧縮機３５の運転を止めても、消火訓練を継続して実施することができる。
また、模擬火点装置１２は、表示ランプ６４及び警報ブザー６５を有するガス元栓モニター６６を備えているので、てんぷら火災等を想定して消火訓練を行うときの訓練内容を充実させることができる。
【００２４】
以上、本発明を一実施の形態に係る消火訓練設備について説明してきたが、本発明は、何ら前記の実施の形態に記載の構成に限定されるものではなく、特許請求の範囲に記載されている事項の範囲内で考えられるその他の実施の形態や変形例も含むものである。
例えば、てんぷら火災以外の訓練火災を想定したときなどでは、消火訓練設備からガス元栓モニターを省略してもよい。
また、前記実施の形態に係る消火訓練設備では、模擬火点となるランプとして第１、第２、第３のランプを設け、更にサイレンを備えた例について説明したが、ランプは３個に限るものではなく、少なくとも１個のランプがあればよく、サイレンを省略することもできる。
更に、前記実施の形態に係る消火訓練設備では、空気圧縮機に２本のエアホースを接続し、それぞれに補助タンクを接続した例について説明したが、空気圧縮機に１本のエアホースを接続し、補助タンクを省略してもよい。
また、前記実施の形態に係る消火訓練設備では、枠体及び架台全体をビニールシート等からなる透明防水シートによって覆った例について説明したが、複数設けた模擬火点となるランプを個別に透明防水シートで覆ってもよい。
また、制御器は、プログラマブルシーケンサーを用い、想定する訓練火災の状況によって、風圧センサーが動作してランプの点滅を停止してから再点滅する時間や、ランプの点滅の停止及び再開の回数を任意に変えるようにして、想定される様々な訓練火災に対応できるようにしてもよい。
【００２５】
【発明の効果】
請求項１〜７記載の消火訓練設備においては、上部に開口部を有し、消火用水を充填可能な容器からなる消火器本体と、開口部に取付けられて、消火器本体の内側に開口する導水部、導水部に連通し外部に開口する放水部、放水部にフレキシブルホースを介して接続されるノズル部、導水部を開閉可能な弁部及び弁部の上側に突出する操作ロッドを有するバルブ機構と、開口部とは別に内部に気体又は水を充填可能な連結口を備えた訓練用消火器を有しているので、消火器本体の開口部にバルブ機構を取付けたまま、連結口から消火用水を消火器本体が満杯になるまで短時間で再充填することができる。また、消火用水の充填量は、従来の訓練用消火器に比べて２倍近くにすることができる。更に、水ホースからエアホースへの差替えも短時間で行うことができ、１本の訓練用消火器で連続して多くの訓練者の消火訓練が可能な、効率的消火訓練を行うことができる。また正しく消火器の操作ができなかった人には何回も繰り返し操作をして訓練効果を高めることができる。
【００２６】
また、バルブ機構の導水部に上端部が連通し、下端部は消火器本体の内側下部位置に開口される吸水管と、吸水管の上端部内側に噴出口を有し、基端は消火器本体の内側上部位置に開口される通気管とを有し、吸水管の上端部と通気管の噴出口でエジェクターを形成した訓練用消火器を有しているので、吸水管の上端部と通気管の噴出口にエジェクターが形成され、消火用水は圧縮空気と共にノズル部から水と空気の混合となって圧縮空気が膨張音を発しながら噴霧状態で放出され、粉末消火器を放射したときによく似た放水状態となり、粉末消火器を操作する感触を得られる実践的な消火訓練が可能である。また、放水量も従来の棒状に放水される場合よりも、噴霧状態の放水とすることにより水の使用量は減少し、１本の訓練用消火器で連続して多人数の訓練者に対して長時間の消火訓練を行うことができる。
【００２７】
特に、請求項２記載の消火訓練設備においては、吸水管は直管からなって、通気管は直管の内部を挿通して直管の下端から折れ曲がり、直管の外側に沿って配置されるＵ字形管からなるので、直管である吸水管の下端から通気管の一方端を挿入させて吸水管に固定するだけで、通気管の一方端が吸水管の上端部とエジェクターを形成することができ、エジェクターの形成が簡単にできる。また、訓練用消火器の持ち方によって訓練用消火器の姿勢が変わっても、安定して消火用水と圧縮空気をエジェクターの部分に供給することができる。
請求項３記載の消火訓練設備においては、バルブ機構は、開口部の外側に形成された雄ねじに螺合する雌ねじを備えたキャップによって密封状態で、消火器本体に取付けられているので、水漏れや空気漏れがなくなり、周囲を汚すことがない。
【００２８】
請求項４記載の消火訓練設備においては、訓練用消火器とは別に模擬火点装置を備え、模擬火点装置は、架台と、架台に取付けられた模擬火点となるランプと、ノズル部から圧縮空気によって消火用水を噴出させる風圧を受けて作動する複数の風圧センサーとを有し、更に、風圧センサーの出力を入力し、ランプの制御を行う制御器を有しているので、模擬火点装置のランプを赤色のランプとして制御器によって点滅させて模擬火点の発火を知らせることができる。また、訓練用消火器から消火用水をランプに向かって放水することによって、ランプの近くに設けられた風圧センサーが放水された消火用水及び風圧を受けて検出信号を発生し、その検出信号を受けて制御器がランプを消灯するようにして模擬火点が鎮火したものとし、効率的な消火訓練を行うことができる。
【００２９】
請求項５記載の消火訓練設備においては、模擬火点装置には、制御器によって制御されるサイレンを有しているので、模擬火点の発火からサイレンを吹鳴し、鎮火と共にサイレンの吹鳴を止めることにより、訓練者及び参加者に鎮火を知らせて訓練者及び参加者に訓練火災の緊張感と臨場感を感じさせ、しかも興味と真剣みを起こさせる消火訓練を実施することができる。
請求項６記載の消火訓練設備においては、ランプは、周囲が透明防水シートによって覆われているので、消火用水が模擬火点を表示するランプに向かって放水されても、直接ランプが消火用水で濡れたり漏電するようなことはなく、消火訓練設備を安全な状態に維持することができる。
請求項７記載の消火訓練設備においては、模擬火点装置は、表示ランプ及び警報ブザーを有するガス元栓モニターを有しているので、てんぷら火災を想定して消火訓練を行い、模擬火点の発火と共に表示ランプと警報ブザーでガスの元栓の存在を知らせ、ガスの元栓を締めて消火操作が完了するように手順を決めて、てんぷら火災に対する訓練内容を充実させることができる。
【図面の簡単な説明】
【図１】本発明の一実施の形態に係る消火訓練設備の構成図である。
【図２】同消火訓練設備に用いる訓練用消火器の側断面図である。
【図３】同消火訓練設備に用いる訓練用消火器及び付属機器の構成図である。
【図４】同消火訓練設備に用いる模擬火点装置の構成図である。
【図５】同消火訓練設備に用いる模擬火点装置に設けた風圧センサーの側断面図である。
【図６】同消火訓練設備に用いる模擬火点装置に設けたガス元栓モニターの側断面図である。
【符号の説明】
１０：消火訓練設備、１１：訓練用消火器、１２：模擬火点装置、１３：開口部、１４：消火器本体、１５：バルブ機構、１６：キャップ、１７：導水部、１８：放水部、１９：バルブ機構本体、２０：フレキシブルホース、２１：ノズル部、２２：弁部、２３：操作ロッド、２４：ストップリング、２５：圧縮ばね、２６：ハンドル、２６Ａ：安全栓、２７：吸水管、２８：噴出口、２９：吸入口、３０：通気管、３０Ａ：取付けバンド、３１：連結口、３２：エアホース、３３：水ホース、３４：カプラー、３５：空気圧縮機、３６：エアコック、３７：補助タンク、３８：水コック、３９：水道、４０：キャスター、４１：架台、４２：第１のランプ、４３：第２のランプ、４４：枠体、４５：第３のランプ、４６：サイレン、４７：センサー取付け部、４８：透明防水シート、４９：風圧センサー、４９Ａ：第１の風圧センサー、４９Ｂ：第２の風圧センサー、４９Ｃ：第３の風圧センサー、５０：ベース部、５０Ａ：ストッパー、５０Ｂ：防水材、５１：取付け用磁石、５２：枠部、５３：振り子、５４：支持ピン、５５：近接スイッチ、５６：制御器、５７：電源コード、５８：電力線、５８Ａ：コネクター、５９：リモートスイッチ、６０：信号線、６０Ａ：コネクター、６１：モニター用ガス栓、６２：ガス栓ハンドル、６２Ａ：レバー、６３：マイクロスイッチ、６４：表示ランプ、６５：警報ブザー、６６：ガス元栓モニター
【図１】
0003762857.tif 000002
【図２】
0003762857.tif 000003
【図３】
0003762857.tif 000004
【図４】
0003762857.tif 000005
【図５】
0003762857.tif 000006
【図６】
0003762857.tif 000007